(57)【特許請求の範囲】
【請求項１】
太陽光発電装置およびガスを燃料とする燃料電池が設置されたガス消費地において用いるガス料金設定装置であって、
前記太陽光発電装置による発電とガス料金の単価との間に連携条件を設定する連携条件設定部と、
前記連携条件を満足する期間のガス料金を第１のガス単価に基づき算出し、前記連携条件を満足しない期間のガス料金を前記第１のガス単価とは異なる第２のガス単価に基づき算出するガス料金算出部とを有し、
前記連携条件設定部は、前記太陽光発電装置の発電状態を検出する検出部と、前記太陽光発電装置による発電が可能であると想定される予め設定した発電可能時間帯が設定される発電可能時間設定部とを備えており、
前記ガス料金算出部は、前記太陽光発電装置による発電が行われている発電期間のガス料金を前記第１のガス単価に基づき算出し、前記太陽光発電装置による発電が行われていない非発電期間であっても前記発電可能時間帯に該当する期間におけるガス料金を、前記第１のガス単価に基づき算出し、前記発電期間および前記発電可能時間帯のいずれにも該当しない期間におけるガス料金を前記第２のガス単価に基づき算出することを特徴とするガス料金設定装置。
【請求項２】
請求項１に記載のガス料金設定装置において、
前記検出部は前記太陽光発電装置の売電状態を検出し、
前記ガス料金算出部は、前記太陽光発電装置による発電電力を売電している状態においては、前記ガス料金を前記第１、第２のガス単価とは異なるガス単価に基づき算出することを特徴とするガス料金設定装置。
【請求項３】
請求項１または２に記載のガス料金設定装置において、
前記連携条件には、前記発電期間における前記発電量が予め定めた設定発電量以上であるか否かの条件が含まれており、
前記ガス料金算出部は、前記第１のガス単価として、前記設定発電量以上の場合には第３のガス単価を採用し、前記設定発電量未満の場合には第４のガス単価を採用することを特徴とするガス料金設定装置。
【請求項４】
請求項１ないし３のうちのいずれかの項に記載のガス料金設定装置において、
前記連携条件には、前記発電可能時間帯に含まれている特定時間帯であるか否かの条件が含まれており、
前記ガス料金算出部は、前記第１のガス単価として、前記特定時間帯の場合には第５のガス単価を採用し、前記特定時間帯以外の前記発電可能時間帯には第６のガス単価を採用することを特徴とするガス料金設定装置。
【請求項５】
請求項１ないし４のうちのいずれかの項に記載のガス料金設定装置において、
前記ガス料金算出部によって算出されたガス料金を表示する表示器を有していることを特徴とするガス料金設定装置。
【請求項６】
請求項５に記載のガス料金設定装置において、
前記表示器には、前記連携条件設定部に設定される前記連携条件の設定および変更を行う入力部が備わっていることを特徴とするガス料金設定装置。
【請求項７】
請求項６に記載のガス料金設定装置において、
前記発電可能時間帯は、日単位、曜日単位、週単位、月単位、季節単位、あるいは年単位で、変更可能であることを特徴とするガス料金設定装置。
【請求項８】
請求項６または７に記載のガス料金設定装置において、
前記発電可能時間帯は、前記太陽光発電装置の設置場所に応じて変更可能であることを特徴とするガス料金設定装置。
【請求項９】
太陽光発電装置およびガスを燃料とする燃料電池が設置されたガス消費地において用いるガス料金設定装置であって、
前記太陽光発電装置による発電とガス料金の単価との間に連携条件を設定する連携条件設定部と、
前記連携条件設定部に設定される前記連携条件の設定および変更を行う入力部と、
前記連携条件を満足する期間のガス料金を第１のガス単価に基づき算出し、前記連携条件を満足しない期間のガス料金を前記第１のガス単価とは異なる第２のガス単価に基づき算出するガス料金算出部とを有し、
前記連携条件設定部は、前記太陽光発電装置の発電状態を検出する検出部と、前記太陽光発電装置による発電が可能であると想定される予め設定した発電可能時間帯が設定される発電可能時間設定部とを備えており、
前記入力部を介して、前記連携条件を、前記太陽光発電装置による発電が行われているか否かの第１条件と、前記発電可能時間帯に該当する期間であるか否かの第２条件とのいずれか一方、あるいは、第１、第２条件の双方を含む第３条件に切り替え可能であり、
前記ガス料金算出部は、
前記連携条件が前記第１条件に切り替えられている場合には、前記太陽光発電装置による発電が行われている発電期間のガス料金を前記第１のガス単価に基づき算出し、
前記連携条件が前記第２条件に切り替えられている場合には、前記太陽光発電装置の前記発電可能時間帯に該当する期間のガス料金を前記第１のガス単価に基づき算出し、
前記連携条件が前記第３条件に切り替えられている場合には、前記発電期間および前記発電可能時間帯のいずれかに該当する期間におけるガス料金を前記第１のガス単価に基づき算出し、前記発電期間および前記発電可能時間帯のいずれにも該当しない期間におけるガス料金を前記第２のガス単価に基づき算出することを特徴とするガス料金設定装置。
【請求項１０】
請求項９に記載のガス料金設定装置において、
前記検出部は前記太陽光発電装置の売電状態を検出し、
前記ガス料金算出部は、前記太陽光発電装置による発電電力を売電している状態においては、前記ガス料金を前記第１、第２のガス単価とは異なるガス単価に基づき算出することを特徴とするガス料金設定装置。
【請求項１１】
請求項９または１０に記載のガス料金設定装置において、
前記連携条件には、前記発電期間における前記発電量が予め定めた設定発電量以上であるか否かの条件が含まれており、
前記ガス料金算出部は、前記第１のガス単価として、前記設定発電量以上の場合には第３のガス単価を採用し、前記設定発電量未満の場合には第４のガス単価を採用することを特徴とするガス料金設定装置。
【請求項１２】
請求項９ないし１１のうちのいずれかの項に記載のガス料金設定装置において、
前記連携条件には、前記発電可能時間帯に含まれている特定時間帯であるか否かの条件が含まれており、
前記ガス料金算出部は、前記第１のガス単価として、前記特定時間帯の場合には第５のガス単価を採用し、前記特定時間帯以外の前記発電可能時間帯には第６のガス単価を採用することを特徴とするガス料金設定装置。
【請求項１３】
請求項９ないし１２のうちのいずれかの項に記載のガス料金設定装置において、
前記発電可能時間帯は、日単位、曜日単位、週単位、月単位、季節単位、あるいは年単位で、変更可能であることを特徴とするガス料金設定装置。
【請求項１４】
請求項９ないし１３のうちのいずれかの項に記載のガス料金設定装置において、
前記発電可能時間帯は、前記太陽光発電装置の設置場所に応じて変更可能であることを特徴とするガス料金設定装置。
【発明の詳細な説明】
【技術分野】
【０００１】
本発明は、太陽光発電装置が設置されている一般住宅などのガス消費地におけるガス料金の設定方法およびガス料金設定装置に関する。
【背景技術】
【０００２】
近年においては、太陽光発電装置やガス、都市ガスを燃料とする家庭用燃料電池などの自家発電設備が一般住宅にも普及し始めている。特許文献１には、燃料電池において発電のために使用されたガスの料金を設定する料金設定方法が開示されており、燃料電池に使用したガスを割安料金に設定することにより燃料電池の普及を促進することが期待できる。また、特許文献２には、燃料電池のガス使用量を全体のガス使用量から割り引く方法が記載されており、この方法によっても燃料電池の普及の促進が期待できる。
【先行技術文献】
【特許文献】
【０００３】
【特許文献１】特開２００５−３１０５１４号公報
【特許文献２】特開２００９−４８５３６号公報
【発明の概要】
【発明が解決しようとする課題】
【０００４】
自家発電設備としては太陽光発電装置も一般住宅に普及しており、商用電力と太陽光発電による電力を利用して給湯、冷暖房を行う住宅も増えている。太陽光発電の場合には日照量に応じて発電量が変動するので、商用電力、あるいは、都市ガスなどのガスを用いた家庭用燃料電池との併用が一般的である。しかしながら、太陽光発電装置を備えた一般住宅などのガス消費地において、太陽光発電を考慮してガス料金を設定することについては従来においては何ら着目されていない。
【０００５】
本発明の課題は、この点に鑑みて、太陽光発電装置を備えた一般住宅などにおいて、太陽光発電とガスの併用を促進してＣＯ２排出量の削減を達成するために適したガス料金の設定方法を提案することにある。
【課題を解決するための手段】
【０００６】
上記の課題を解決するために、本発明は、
太陽光発電装置およびガスを燃料とする燃料電池が設置されたガス消費地において用いるガス料金設定装置であって、
前記太陽光発電装置による発電とガス料金の単価との間に連携条件を設定する連携条件設定部と、
前記連携条件を満足する期間のガス料金を第１のガス単価に基づき算出し、前記連携条件を満足しない期間のガス料金を前記第１のガス単価とは異なる第２のガス単価に基づき算出するガス料金算出部とを有し、
前記連携条件設定部は、前記太陽光発電装置の発電状態を検出する検出部と、前記太陽光発電装置による発電が可能であると想定される予め設定した発電可能時間帯が設定される発電可能時間設定部とを備えており、
前記ガス料金算出部は、前記太陽光発電装置による発電が行われている発電期間のガス料金を前記第１のガス単価に基づき算出し、前記太陽光発電装置による発電が行われていない非発電期間であっても前記発電可能時間帯に該当する期間におけるガス料金を、前記第１のガス単価に基づき算出し、前記発電期間および前記発電可能時間帯のいずれにも該当しない期間におけるガス料金を前記第２のガス単価に基づき算出することを特徴としている。
【０００８】
例えば、前記第１のガス単価を前記第２のガス単価よりも低い値としておけば、太陽光発電による発電期間におけるガス料金が割安になる。ガス料金を割安にすることにより、発電時におけるガスの利用が促進される。この結果、ガスを燃料とする家庭用燃料電池が備わっている場合などにおいては太陽光発電による発電電力に余剰が生じ、当該余剰電力を販売して利益を得ることができる。これにより太陽光発電とガスの併用が促進される。
【０００９】
なお、多様なガス料金設定を実現するために、前記第１のガス単価および前記第２のガス単価の少なくとも一方の値を変更可能にしておくことが望ましい。
【００１０】
ここで、発電期間における第１のガス単価を発電量に応じて多段階、たとえば二段階に設定することも可能である。この場合には、前記連携条件として、前記発電期間における前記発電量が予め定めた設定発電量以上であるか否かの条件も採用し、前記第１のガス単価として、前記設定発電量以上の場合に用いる第３のガス単価と、前記設定発電量未満の場合に用いる第４のガス単価とを採用すればよい。
【００１１】
発電可能時間帯は、たとえば、朝９時から夕方４時までのように所定の日照量を得ることが予定される日照時間帯である。前記非発電期間であっても前記発電可能時間帯に該当する期間におけるガス料金を、前記第１のガス単価に基づき算出し、前記発電期間および前記発電可能時間帯のいずれにも該当しない期間におけるガス料金を前記第２のガス単価に基づき算出する。
【００１２】
このようにすれば、たとえば、発電可能時間帯である昼間の時間帯に発電が無かった場合に、ガスを安く供給することができる。すなわち、雨の日などにおいては、太陽光発電による発電が行われないので、売電できない。この場合に、ガスを安く（第１のガス単価で）供給することにより、ガス料金の割引という補填をガス消費者は受けることができる。これにより、太陽光発電とガスの併用の普及が期待される。
【００１３】
ここで、発電期間であるか否かの連携条件を採用した場合には、太陽光発電装置の発電状態あるいは動作状態を検出する検出回路が必要であるが、連携条件として発電可能時間帯を採用した場合には、タイマー回路を用いて簡単にガス単価の切り替え制御を行うことができる。
【００１４】
発電可能時間帯を採用した場合においても、当該発電可能時間帯における第１のガス単価を多段階、例えば二段階に設定することができる。このためには、前記連携条件として、前記発電可能時間帯に含まれている特定時間帯であるか否かの条件も採用し、前記第１のガス単価として、前記特定時間帯の場合に用いる第５のガス単価と、前記特定時間帯以外の前記発電可能時間帯に用いる第６のガス単価とを採用すればよい。
【００１５】
また、日照時間帯は季節に応じて変動し、ガス使用量は曜日に応じて変動する。このような点に鑑みて、前記発電可能時間帯を、日単位、曜日単位、週単位、月単位、季節単位、あるいは年単位で、予め定めた発電可能時間帯を変更できるようにすることが望ましい。
【００１６】
さらに、日照時間帯はガス消費地（太陽光発電装置の設置場所の緯度）に応じて異なる。このような点に鑑みて、前記発電可能時間幅を、太陽光発電装置の設置場所に応じて予め設定されている発電可能時間幅に設定できるようにすることが望ましい。
【００１７】
次に、ガス消費者の希望に応じて多様なガス料金設定ができるようにするためには、前記連携条件を、太陽光発電による発電が行われているか否かの条件と、前記発電可能時間帯に該当する期間であるか否かの条件とのいずれか一方、あるいは、双方に切り替え可能にしておくことが望ましい。すなわち、本発明のガス料金設定装置は、
太陽光発電装置およびガスを燃料とする燃料電池が設置されたガス消費地において用いるガス料金設定装置であって、
前記太陽光発電装置による発電とガス料金の単価との間に連携条件を設定する連携条件設定部と、
前記連携条件設定部に設定される前記連携条件の設定および変更を行う入力部と、
前記連携条件を満足する期間のガス料金を第１のガス単価に基づき算出し、前記連携条件を満足しない期間のガス料金を前記第１のガス単価とは異なる第２のガス単価に基づき算出するガス料金算出部とを有し、
前記連携条件設定部は、前記太陽光発電装置の発電状態を検出する検出部と、前記太陽光発電装置による発電が可能であると想定される予め設定した発電可能時間帯が設定される発電可能時間設定部とを備えており、
前記入力部を介して、前記連携条件を、前記太陽光発電装置による発電が行われているか否かの第１条件と、前記発電可能時間帯に該当する期間であるか否かの第２条件とのいずれか一方、あるいは、第１、第２条件の双方を含む第３条件に切り替え可能であり、
前記ガス料金算出部は、
前記連携条件が前記第１条件に切り替えられている場合には、前記太陽光発電装置による発電が行われている発電期間のガス料金を前記第１のガス単価に基づき算出し、
前記連携条件が前記第２条件に切り替えられている場合には、前記太陽光発電装置の前記発電可能時間帯に該当する期間のガス料金を前記第１のガス単価に基づき算出し、
前記連携条件が前記第３条件に切り替えられている場合には、前記発電期間および前記発電可能時間帯のいずれかに該当する期間におけるガス料金を前記第１のガス単価に基づき算出し、前記発電期間および前記発電可能時間帯のいずれにも該当しない期間におけるガス料金を前記第２のガス単価に基づき算出することを特徴としている。
【発明の効果】
【００２２】
本発明のガス料金の設定方法およびガス料金設定装置では、太陽光発電に連携させてガス料金の単価を切り替えるようにしている。したがって、たとえば、太陽光発電による発電期間におけるガス単価を安く設定しておくことにより、ガス消費者にとってメリットのある多様なガス料金体系を構築することができる。これにより、太陽光発電とガスの併用が促進され、ＣＯ２排出量の削減を図ることができる。
【図面の簡単な説明】
【００２３】
【図１】本発明を適用した一般住宅の電気ガス供給システムの概略構成図である。
【図２】図１の電気ガス供給システムに組み込まれているガス料金設定装置の部分を示す機能ブロック図である。
【図３】図２のガス料金設定装置によるガス料金の設定手順を示すフローチャートである。
【発明を実施するための形態】
【００２４】
以下に、図面を参照して本発明を適用したガス料金設定システムの実施の形態を説明する。
【００２５】
図１は一般住宅に設置されているガス料金設定機能を備えた電気ガス供給システムを示す説明図である。一般住宅Ａに設置されている電気ガス供給システム１は、ガスメーター２を介してガスが供給されるガス器具３（１）、３（２）・・・および家庭用燃料電池４を備えている。また、電気供給源として家庭用燃料電池４に加えて、電気メーター５を介して供給される商用電力源と、住宅１００の屋根１０１などに設置された太陽光発電装置６による発電電力源とを備えている。
【００２６】
家庭用燃料電池４、商用電力、および太陽光発電装置６からの電力は、それぞれ、電力量計７、８、９を介して分電盤１０に供給される。分電盤１０から電力供給先の各電気使用機器１１（１）、１１（２）・・・に供給されるようになっている。各電力量計７〜９による検針値はコントローラー２０に供給される。コントローラー２０は家庭用燃料電池４、太陽光発電装置６などの駆動状態を監視すると共に、これらの駆動制御を行う。また、コントローラー２０は例えば伝送装置１２を介して管理サーバー１４との間で情報の送受信を行うことが可能となっている。また、住宅１００内に配置した宅内表示器１３との間で通信を行うことが可能である。
【００２７】
図２は電気ガス供給システム１のコントローラー２０によって実行される機能を示す機能ブロック図である。コントローラー２０はコンピュータを中心に構成されており、予め設定した制御プログラムを実行することにより各種の制御動作を行うと共にガス料金設定装置として機能する。
【００２８】
ガス料金設定装置として機能するコントローラー２０は、各電力量計７、８、９の検針値に基づき発電状態、売電状態などを検出する検出部２１を備えている。検出部２１は電力量計９からの信号に基づき、太陽光発電装置６が発電状態にあるか否かを検出し、電力量計８からの信号に基づき、商用電力の給電状態を検出すると共に売電状態にあるか否かを検出する。また、電力計７からの信号に基づき家庭用燃料電池４による発電状態を検出する。
【００２９】
コントローラー２０はガス料金算出部２２を備えており、このガス料金算出部２２に検出部２１による検出結果が供給される。ガス料金算出部２２には、入出力ポート２３を介してガスメーター２のガス検針値２Ｓが供給される。また、コントローラー２０は、太陽光発電装置６の発電可能時間帯設定部２４およびガス料金設定用の各種の料金メニュー情報が設定されている料金メニュー設定部２５を備えている。
【００３０】
発電可能時間帯設定部２４には、太陽光発電装置６による発電が可能であると予測される発電可能時間帯２４Ｓが設定されている。たとえば、朝の９時から夕方の４時までの発電可能時間帯２４Ｓが設定されている。この発電可能時間帯２４Ｓは、コントローラー２０に接続されている宅内表示器１３からの入力操作によって変更可能となっている。
【００３１】
料金メニュー設定部２５には、ガス料金算出用の複数種類のガス料金メニューが記憶保持されており、これらのうちの一つのガス料金メニュー２５Ｓが設定されている。たとえば、基本ガス料金メニュー２５Ｓ１として、毎月のガス基本料ａｏおよびガス従量単価ｂｏが設定されている。また、太陽光発電連携用ガス料金メニュー２５Ｓ２として、毎月のガス基本料ａｏおよび複数種類の太陽光発電連携用ガス従量単価が設定されている。これらの太陽光発電連携用ガス従量単価には、たとえば、通常のガス従量単価ｂｏ（第２のガス単価：基本ガス料金メニューにおけるガス従量単価と同一の値のもの）と、これよりも安い割引ガス従量単価ｂ１（第１のガス単価）とが含まれている。ガス料金メニューの設定を、宅内表示器１３からの入力操作によって変更できるようになっている。
【００３２】
勿論、ガス料金メニューとしては、これ以外の多様で多種類のメニューを設定してもよい。例えば、ガス使用量、ガス使用機器、季節などに応じてガス従量単価を変動させるようにした複雑な料金メニューを設定することもできる。本明細書においては理解を容易にするために、上記のような単純な料金メニューを例に挙げて説明する。
【００３３】
コントローラー２０は、入出力ポート２３を介して伝送装置１２に接続されている。伝送装置１２を介して外部との通信、たとえば、ガス管理会社の管理サーバー１４に接続されており、管理サーバー１４からの要求に基づき、ガスの検針結果、算出したガス料金情報、設定料金メニュー情報などが出力され、管理サーバー１４からガス料金メニューの設定および変更、発電可能時間帯の設定および変更などが可能となっている。
【００３４】
図３はガス料金設定手順を示す概略フローチャートである。コントローラー２０の発電可能時間帯設定部２４には予め発電可能時間帯２４Ｓが設定されており、ガス料金メニュー設定部２５には太陽光発電連携用ガス料金メニュー２５Ｓ２が設定されているものとする。
【００３５】
コントローラー２０は、検出部２１に供給される電力量計９からの信号に基づき太陽光発電装置６が発電中であるか否かを監視しており、監視結果をガス料金算出部２２に通知している（ステップＳＴ１）。発電中ではない場合、すなわち、非発電期間中の場合には、内蔵の計時機能に基づき、現在の時間帯が発電可能時間帯設定部２４に設定されている発電可能時間帯２４Ｓであるか否かを判別する（ステップＳＴ２）。
【００３６】
発電可能時間帯２４Ｓではない場合には、ガス料金算出部２２は、ガス従量単価を基本ガス従量単価ｂｏのままとして（ステップＳＴ３）、ガスメーター２から供給される検針値に基づき、ガス基本料ａｏと基本ガス従量単価ｂｏを用いて、ガス料金を算出し、算出したガス料金を記憶保持する（ステップＳＴ５）。
【００３７】
これに対して、太陽光発電装置６が発電している発電期間にある場合、および、発電の有無に拘わりなく現在の時間帯が発電可能時間帯２４Ｓである場合には、ガス料金算出部２２は、ガス従量単価を基本ガス従量単価ｂｏから割引ガス従量単価ｂ１に切り替える（ステップＳＴ４）。そして、ガスメーター２から供給される検針値に基づき、ガス基本料ａｏと割引ガス従量単価ｂ１を用いて、ガス料金を算出し、算出したガス料金を記憶保持する（ステップＳＴ５）。算出されたガス料金は定期的に伝送装置１２を介して管理サーバー１４に供給される。
【００３８】
なお、本例では、コントローラー２０がガス料金設定装置として機能しているが、このガス料金設定装置としての機能を、たとえば、管理サーバー１４の側に組み込むようにしてもよい。この場合には、ガスメーター２の検針値、太陽光発電装置６の発電期間および非発電期間などの情報を対応付けした形態で管理サーバー１４に定期的に供給し、管理サーバー１４の側において設定ガス料金メニューに基づきガス料金を算出すればよい。勿論、ガス料金設定装置の機能の一部をコントローラー２０に負担させ、残りを管理サーバー１４の側に負担させるようにすることも可能である。
【００３９】
次に、ガス従量単価を二段階で切り替えるようにしているが多段階に切り替えることも可能である。たとえば、太陽光発電装置６による発電量に応じて割引ガス従量単価（第１のガス単価）を多段階、たとえば第３、第４の二段階の従量単価に切り替えることができる。また、太陽光発電装置６あるいは家庭用燃料電池４による発電電力を売電している状態において、ガス従量単価などを切り替えるようにしてもよい。同様に、発電可能時間帯を細分化、たとえば第１、第２の二区分とし、割引ガス従量単価（第１のガス単価）を第１の区分では第５のガス単価、第２の区分では第６のガス単価に切り替えるようにしてもよい。
【００４０】
また、本例ではガス料金メニューにおける太陽光発電装置６との連携条件として、発電期間であるか否か、および、発電可能時間帯であるか否かの２つの条件を採用している。これらの一方のみを採用することも可能であり、これら以外の連携条件を採用することも可能である。
【００４１】
次に、日照時間帯は季節に応じて変動し、ガス使用量は曜日に応じて変動する。このような点に鑑みて、発電可能時間帯を、日単位、曜日単位、週単位、月単位、季節単位、あるいは年単位で、予め定めた発電可能時間帯を変更できるようにすることが望ましい。また、日照時間帯はガス消費地（太陽光発電装置の設置場所の緯度）に応じて異なる。このような点に鑑みて、発電可能時間幅を、太陽光発電装置の設置場所に応じて予め設定されている発電可能時間幅に設定できるようにすることが望ましい。
【符号の説明】
【００４２】
１    電気ガス供給システム
２    ガスメーター
３（１）、３（２）  ガス器具
４    家庭用燃料電池
５    電気メーター
６    太陽光発電装置
７、８、９  電力量計
１０  分電盤
１１（１）、１１（２）  電気使用機器
１２  伝送装置
１３  宅内表示器
１４  管理サーバー
２０  コントローラー
２１  検出部
２２  ガス料金算出部
２３  入出力ポート
２４  発電可能時間帯設定部
２４Ｓ  発電可能時間帯
２５  ガス料金メニュー設定部
２５Ｓ  ガス料金メニュー
２５Ｓ１  基本ガス料金メニュー
２５Ｓ２  太陽光発電連携用ガス料金メニュー
ａｏ  ガス基本料
ｂｏ  基本ガス従量単価（第２のガス単価）
ｂ１  割引ガス従量単価（第１のガス単価）
【図１】
0005432615.tif 000002
【図２】
0005432615.tif 000003
【図３】
0005432615.tif 000004